(57)【特許請求の範囲】
【請求項１】
遊技機の前面に設けられるボタン式演出操作装置において、
前記遊技機の前記前面から前方に延出する基準部位より突出可能なボタン部を有する操作体と、
前記基準部位の前記ボタン部の突出側とは反対側にて前記操作体を進退可能に支持する駆動手段とを備えて、
当該駆動手段は、
回動部材と、前記操作体を進退可能に支持する従動部材であって幅広凹部及び幅狭凹部でもってＬ字状或いは逆Ｌ字状にくり抜き形成した凹所を有する従動部材とを備えて、
前記操作体を、初期段階には、前記回動部材から延出する摺接部材の前記回動部材の回動に伴う前記凹所の前記幅狭部の内面から前記幅広凹部内への解離に基づき、バネ手段により前記基準部位から瞬時に突出させ、ついで、後段階にて、前記回動部材のさらなる回動に伴い、前記摺接部材の前記凹所の内面との摺接のもと、当該摺接部材により、前記従動部材を介し、前記初期段階よりも遅い速度にて、大きく突出させるようにしたことを特徴とする遊技機のためのボタン式演出操作装置。
【請求項２】
遊技機の前面に設けられるボタン式演出操作装置において、
前記遊技機の前記前面から前方に延出する基準部位より突出可能な筒状のボタン部と、バネを介し前記ボタン部を摺動可能に嵌装してなる柱部とを有する操作体と、
前記基準部位の前記ボタン部の突出側とは反対側にて前記操作体を進退可能に支持する駆動手段とを備え、
当該駆動手段は、
モータと、
このモータにより駆動されて回動する回動板と、
この回動板から延出する摺接部材と、
前記柱部から前記基準部位を介し同軸的に延出する従動部材と、
前記基準部位と前記柱部との間に介装されて当該柱部を前記操作体の突出方向に向けて付勢するコイルスプリングとを備えて、
前記従動部材は、
その延出端側部位にて、前記回動板の回動に伴う前記摺接部材の前記回動板の軸を中心とする回動軌跡に応じて前記摺接部材と摺接しながら前記操作体の突出方向からその逆方向にかけて案内されるように、幅広凹部及び幅狭凹部でもってＬ字状或いは逆Ｌ字状に形成した凹所を形成されて、
この凹所の前記幅狭凹部の内面による前記摺接部材との当接のもとに、前記コイルスプリングを前記柱部により圧縮させるように、前記操作体とともに原位置に維持され、
初期段階には、前記回動板の一方向回動に伴う前記凹所の前記幅狭部の内面から前記幅広部内への解離に基づき、前記コイルスプリングの弾力のもと前記基準部位から前記操作体とともに瞬時に突出し、
ついで、後段階にて、前記回動板のさらなる一方向回動に伴い、前記摺接部材により前記凹所の前記幅広部の内面との摺接のもとに押動されて、前記初期段階よりも遅い速度にて、前記操作体とともに大きく突出するようにしたことを特徴とする遊技機のためのボタン式演出操作装置。
【請求項３】
前記従動部材は、前記後段階にて大きく突出した後、前記摺接部材により前記従動部材の前記凹所の前記幅狭部の内面との摺接のもとにさらに押動されて、前記柱部により前記コイルスプリングを圧縮しながら前記操作体とともに前記原位置に戻るようにしたことを特徴とする請求項２に記載の遊技機のためのボタン式演出操作装置。
【発明の詳細な説明】
【技術分野】
【０００１】
本発明は、パチンコ遊技機やスロットマシンなどの遊技機に係り、特に、当該遊技機において、遊技者等に対し、何らかの有利な遊技状態を期待させるために操作させるようにした遊技機のためのボタン式演出操作装置に関する。
【背景技術】
【０００２】
従来、この種の遊技機のうち、例えば、パチンコ遊技機においては、下記特許文献１に記載のボタン式演出操作装置が提案されている。このボタン式演出操作装置は、操作手段、筒状の案内手段及び移動駆動手段を備えており、その操作手段にて、遊技機本体に設けた上皿カバーの開口孔から操作ボタンを遊技機本体の前側へ露出させるようにして、上皿カバーの内部に設けられている。
【０００３】
そして、操作手段は、操作ボタンを遊技機本体の内部方向に退去させる退去位置から操作ボタンを遊技機本体の外部方向に上皿カバーの開口孔から突出させる突出位置へ或いはこの突出位置から上記退去位置へ筒状の案内手段に沿い摺動自在となるように当該案内手段により保持されている。
【０００４】
ここで、操作手段の操作ボタンは、移動駆動手段の通電に伴う駆動軸の前方への進出により上記退去位置から上記突出位置へ筒状の案内手段に沿い摺動し、また、移動駆動手段の通電停止に伴う駆動軸の後方への退去に応じて筒状の案内手段に沿い摺動するようになっている。
【０００５】
これにより、操作ボタンが上記突出位置に位置する状態において、遊技者が、操作ボタンをその前方から叩くことで、操作ボタンが付勢手段の弾性力に抗して移動駆動手段側へ変位したことを検出したときに、遊技者に対し何らかの有利な遊技状態を期待させる演出表示を行う。
【先行技術文献】
【特許文献】
【０００６】
【特許文献１】特許第３９８９２８７号公報
【発明の概要】
【発明が解決しようとする課題】
【０００７】
ところで、上記パチンコ遊技機においては、操作手段における操作ボタンの退去位置からの突出範囲が、案内手段により上記退去位置から上記突出位置までの範囲に規制されているため、操作ボタンの上皿カバーからの突出度合いが少ない。従って、操作ボタンがその突出により遊技者に訴える効果が低い。
【０００８】
このため、遊技者は、操作ボタンの突出を見逃しがちになったり、また、操作ボタンの突出に気がついても、突出した操作ボタンを叩こうとする意思を発揮させにくい。
【０００９】
これに対し、操作ボタンの上皿カバーからの突出度合いを増大させたとしても、当該操作ボタンの突出態様が、単調なものであれば、上述と同様に、操作ボタンがその突出により遊技者に訴える効果が低いことに変わりがない。
【００１０】
そこで、本発明は、以上のようなことに対処するため、ボタン部を２段階にて大きく突出させるように工夫を凝らし、ボタン部の突出を遊技者に対して強く認識させるようにした遊技機のためのボタン式演出操作装置を提供することを目的とする。
【課題を解決するための手段】
【００１１】
上記課題の解決にあたり、本発明は、請求項１の記載によれば、
遊技機の前面に設けられるボタン式演出操作装置において、
遊技機の上記前面から前方に延出する基準部位（３３）より突出可能なボタン部（４１）を有する操作体（４０）と、
上記基準部位の上記ボタン部の突出側とは反対側にて操作体を進退可能に支持する駆動手段（５０）とを備えて、
当該駆動手段は、
回動部材（５４）と、操作体を進退可能に支持する従動部材であって幅広凹部及び幅狭凹部でもってＬ字状或いは逆Ｌ字状にくり抜き形成した凹所（５７ｂ）を有する従動部材（５１）とを備えて、
操作体を、初期段階には、回動部材から延出する摺接部材（５５）の回動部材（５４）の回動に伴う上記凹所の上記幅狭部の内面から上記幅広凹部内への解離に基づき、バネ手段（５２）により上記基準部位から瞬時に突出させ、ついで、後段階にて、回動部材のさらなる回動に伴い、摺接部材の上記凹所の内面との摺接のもと、当該摺接部材により、従動部材を介し、上記初期段階よりも遅い速度にて、大きく突出させるようにしたことを特徴とする遊技機のためのボタン式演出操作装置である。
【００１２】
このような構成によれば、演出操作装置が、上述のごとく、カム部材及び摺接部材を有する構成にて、操作体を、初期段階及び後段階という２段階に分けて大きく上動させるように構成されているので、遊技者は、上述のようなボタン部の突出を強く認識することができる。
【００１３】
また、本発明は、請求項２の記載によれば、遊技機の前面に設けられるボタン式演出操作装置において、
遊技機の上記前面から前方に延出する基準部位（３３）より突出可能な筒状のボタン部（４１）と、バネ（４２）を介し上記ボタン部を摺動可能に嵌装してなる柱部（４３）とを有する操作体（４０）と、
上記基準部位の前記ボタン部の突出側とは反対側にて操作体を進退可能に支持する駆動手段（５０）とを備え、
当該駆動手段は、
モータ（５３）と、
このモータにより駆動されて回動する回動板（５４）と、
この回動板から延出する摺接部材（５５）と、
上記柱部から上記基準部位を介し同軸的に延出する従動部材（５１）と、
上記基準部位と上記柱部との間に介装されて当該柱部を操作体の突出方向に向けて付勢するコイルスプリング（５２）とを備えて、
従動部材は、
その延出端側部位（５７）にて、回動板の回動に伴う摺接部材の回動板の軸を中心とする回動軌跡に応じて摺接部材と摺接しながら操作体の突出方向からその逆方向にかけて案内されるように、幅広凹部及び幅狭凹部でもってＬ字状或いは逆Ｌ字状に形成した凹所（５７ｂ）を形成されて、
この凹所の上記幅狭凹部の内面による摺接部材との当接のもとに、コイルスプリングを上記柱部により圧縮させるように、操作体とともに原位置に維持され、
初期段階には、回動板の一方向回動に伴う上記凹所の上記幅狭部の内面から上記幅広部内への解離に基づき、コイルスプリングの弾力のもと上記基準部位から操作体とともに瞬時に突出し、
ついで、後段階にて、回動板のさらなる一方向回動に伴い、摺接部材により上記凹所の上記幅広部の内面との摺接のもとに押動されて、上記初期段階よりも遅い速度にて、操作体とともに大きく突出するようにしたことを特徴とする遊技機のためのボタン式演出操作装置である。
【００１４】
これによれば、コイルスプリングを柱部により圧縮させるように操作体とともに原位置に維持されていた従動部材が、初期段階にて、回動板の一方向回動に伴う上記凹所の上記幅狭部の内面から上記幅広部内への解離に応じて、コイルスプリングの弾力のもと上記基準部位から操作体とともに瞬時に突出し、然る後、後段階にて、回動板のさらなる一方向回動に伴い摺接部材により上記凹所の上記幅広部の内面との摺接のもとに押動されて、上記初期段階よりも遅い速度にて、操作体とともに大きく突出する。
【００１５】
このため、ボタン部は２段階にて大きく突出するようになり、当該ボタン部の突出を遊技者に対して強く認識させることができる。
【００１６】
また、本発明は、請求項３の記載によれば、請求項２に記載の遊技機のためのボタン式演出操作装置において、
従動部材は、上記後段階にて大きく突出した後、摺接部材（５５）により従動部材の上記凹所の上記幅狭部の内面との摺接のもとにさらに押動されて、上記柱部によりコイルスプリングを圧縮しながら操作体とともに上記原位置に戻るようにしたことを特徴とする。
【００１７】
これにより、従動部材は、操作体とともに原位置に確実に戻ることができる。このとき、コイルスプリングは、柱部により基準部位上に圧縮された状態にある。
【００１８】
なお、上記各手段の括弧内の符号は、後述する実施形態に記載の具体的手段との対応関係を示す。
【図面の簡単な説明】
【００１９】
【図１】本発明に係るパチンコ遊技機の一実施形態を、ボタン式演出操作装置のボタンの原位置との関係にて示す斜視図である。
【図２】上記一実施形態を、ボタン式演出操作装置のボタンの上動最終位置との関係にて示す斜視図である。
【図３】上記一実施形態におけるボタン式演出操作装置の分解斜視図である。
【図４】上記一実施形態におけるボタン式演出操作装置の従動部材の斜視図である。
【図５】上記一実施形態においてボタンが原位置にあるときのボタン部式演出操作装置を前面側からみた斜視図である。
【図６】上記一実施形態においてボタン式演出操作装置を背面側からみた斜視図である。
【図７】図６のボタン式演出操作装置からＬ字状補助壁部材及びカム駆動用モータを取り除いた状態を示す斜視図である。
【図８】上記一実施形態におけるボタン式演出操作装置の電気回路構成を表すブロック図である。
【図９】上記一実施形態におけるボタン式演出操作装置の作動状態を、ボタン部を原位置に位置させた状態にて示す当該ボタン式演出操作装置の前面図である。
【図１０】図９のボタン式演出操作装置の縦断面図である。
【図１１】上記一実施形態におけるボタン式演出操作装置の作動状態を、ボタン部を上動初期位置まで上動させた状態にて示す当該ボタン式演出操作装置の前面図である。
【図１２】図１１のボタン式演出操作装置の縦断面図である。
【図１３】上記一実施形態におけるボタン式演出操作装置の作動状態を、ボタン部に上動初期位置から更なる上動を開始させる直前の当該ボタン式演出操作装置の前面図である。
【図１４】上記一実施形態におけるボタン式演出操作装置の作動状態を、ボタン部に上動初期位置から更なる上動を開始させた直後の当該ボタン式演出操作装置の前面図である。
【図１５】上記一実施形態におけるボタン式演出操作装置の作動状態を、ボタン部を図１４の位置から僅かに上動させたときの当該ボタン式演出操作装置の前面図である。
【図１６】上記一実施形態におけるボタン式演出操作装置の作動状態を、ボタン部を図１５の位置から僅かに上動させたときの当該ボタン式演出操作装置の前面図である。
【図１７】図１６のボタン式演出操作装置の縦断面図である。
【図１８】上記一実施形態におけるボタン式演出操作装置の作動状態を、ボタン部を図１６の位置から僅かに上動させたときの当該ボタン式演出操作装置の前面図である。
【図１９】上記一実施形態におけるボタン式演出操作装置の作動状態を、ボタン部を上動終了位置まで上動させたときの当該ボタン式演出操作装置の前面図である。
【図２０】図１９のボタン式演出操作装置の縦断面図である。
【図２１】上記一実施形態におけるボタン式演出操作装置の作動状態を、ボタン部を上動終了位置から下動させ始め、上動初期位置に対応する位置まで下動したときの当該ボタン式演出操作装置の前面図である。
【発明を実施するための形態】
【００２０】
以下、本発明の一実施形態を図面により説明する。
【００２１】
図１は、本発明がパチンコ遊技機に適用されてなる一実施形態を示す。当該パチンコ遊技機は、パチンコホール内の設置島に立設されるものであり、このパチンコ遊技機は、図１に示すように、機枠Ｆ、遊技機本体Ｂ及び前扉Ｄにより構成されている。
【００２２】
遊技機本体Ｂは、その枠体（図示せず）により、機枠ｆに対し、前後方向に開閉可能に支持されており、遊技機本体Ｂは、遊技盤（図示せず）及び操作ハンドル１０を備えている。
【００２３】
上記遊技盤は、前扉Ｄのガラス板２０（後述する）の裏面側に位置するように、遊技機本体Ｂに設けられており、当該遊技盤は、その遊技領域内に球発射装置（図示せず）からの遊技球を案内して上記遊技領域において下方に向けて転動させる。
【００２４】
操作ハンドル１０は、上記球発射装置（図示せず）の一構成部材として、遊技機本体Ｂの右側下部にその前面側から支持されており、この操作ハンドル１０は、遊技者による操作のもと、上記球発射装置に供給される遊技球を上記遊技盤の遊技領域内に向け発射するようになっている。なお、上記球発射装置は、遊技機本体Ｂの右側下部にその裏面側から取り付けられている。
【００２５】
前扉Ｄは、遊技機本体Ｂを介し機枠Ｆによって前後方向に開閉可能に支持されている。この前扉Ｄは、図１及び図２に示すように、矩形板状のガラス板２０及び球受け皿３０を備えている。ガラス板２０は、前扉Ｄの閉成時に上記遊技盤に対しその前側から対向して位置するように、前扉Ｄの開口部にその裏面側から組み付けられている。
【００２６】
球受け皿３０は、払い出されてきた賞球など遊技球を一旦貯留するように、前扉Ｄにおけるガラス板２０の下側部位から前方へ受け皿状に延出されており、当該球受け皿３０は、図１に示すように、外壁部材３０ａと、球収容部材３０ｂとにより構成されている。
【００２７】
外壁部材３０ａは、Ｕ字状外壁３１及び底壁３２からなるもので、Ｕ字状外壁３１は、前側壁部３１ａ及び左右両側壁部３１ｂでもってＵ字状に形成されている。底壁３２は、Ｕ字状外壁３１の下縁開口部を閉じるように、当該Ｕ字状外壁３１と一体的に形成されている。
【００２８】
そして、当該外壁部材３０ａは、Ｕ字状外壁３１の左右両側壁部３１ｂ及び底壁３２により、前扉Ｄにおけるガラス板２０の下側部位から前方へ延出するようにガラス板２０の下側部位に取り付けられている。これにより、外壁部材３０ａは、下側に向けて凹状となるように形成されて、Ｕ字状外壁３１の上縁部とガラス板２０の下側部位との間にて、上方へ開口する開口部を形成する。
【００２９】
球収容部材３０ｂは、環状上壁部３３と、凹状球収容部３４とを備えており、環状上壁部３３は、外壁部材３０ａの上記開口部に組付けられている。凹状球収容部３４は、周壁部３４ａと、この周壁部３４ａの下端開口部を閉じる底壁部３４ｂとでもって、下方に向けて凹状となるように形成されており、この凹状球収容部３４の周壁部３４ａは、環状上壁部３３の中空内周部から下方へ延出するように、環状上壁部３３と一体的に形成されている。
【００３０】
これにより、凹状球収容部３４は、外壁部材３０ａの内側に位置するように、環状上壁部３３により支持され、上方に向けて開口する。なお、球収容部材３０ｂは、凹状球収容部３４内に払い出される遊技球を当該凹状球収容部３４内にて一時的に貯留するとともに、当該貯留遊技球を、例えば、操作ハンドル１０の回動操作に伴い、上記発射装置に供給する。
【００３１】
また、前扉Ｄは、図３、図５及び図６に示すようなボタン式演出操作装置Ｇを備えており、この演出操作装置Ｇは、そのボタン部４１を上下動可能に球受け皿３０から上方へ突出させるように、球受け皿３０内に支持されている。
【００３２】
演出操作装置Ｇは、図３、図５及び図６に示すように、操作体４０及び駆動機構５０を備えており、操作体４０は、Ｌ字状補助壁部材３０ｃに配設された駆動機構５０により、Ｌ字状補助壁部材３０ｃを介し、球受け皿３０内において上下動可能に支持されている。
【００３３】
ここで、Ｌ字状補助壁部材３０ｃは、球受け皿３０内にてそのＵ字状外壁３１の前側壁部３１ａと球収容部材３０ｂの凹状球収容部３４との間に形成される空所内に立設されているもので、このＬ字状補助壁部材３０ｃは、外壁部材３０ａの底壁３２から上方に向け立設される立壁部３５と、この立壁部３５の上端部から前側へＬ字状に延出する上壁部３６とにより構成されている。なお、立壁部３５は、その壁面がＵ字状外壁３１の前側壁部３１ａに沿うように位置し、また、上壁部３６は、その壁面が球収容部材３０ｂの環状上壁部３３に平行となるように位置している。
【００３４】
操作体４０は、図３に示すように、ボタン部４１と、コイルスプリング４２と、円柱部４３とによって構成されている。ボタン部４１は、円筒状周壁部４１ａと、この周壁部４１ａと共に縦断面Ｕ字状となるように当該周壁部４１ａの上端開口部に一体的に形成した押打壁部４１ｂとを有しており、当該ボタン部４１は、押打壁部４１ｂを上側に、円筒状周壁部４１ａを下側にして、球収容部材３０ｂの環状上壁部３３に形成した貫通穴部３３ａに下方から同軸的に上下動可能に挿通されている。なお、押打壁部４１ｂは、上に凸な断面円弧壁状に形成されている。
【００３５】
また、ボタン部４１は、環状鍔部４１ｃを有しており、この環状鍔部４１ｃは、環状上壁部３３の貫通穴部３３ａの外周部に下方から当接するように、周壁部４１ａの下端開口部から半径方向へ外方に向け環状に突出形成されている。また、上述した貫通穴部３３ａは、図１及び図２に示すように、球収容部材３０ｂの環状上壁部３３の左右方向前側中間部位に形成されている。
【００３６】
円柱部４３は、ボタン部４１の周壁部４１ａ内にその下端開口部から同軸的にかつ摺動可能に嵌装されており、円柱部４３の上端部４３ａとボタン４３の押打壁部４１ｂとの間にコイルスプリング４２が介装されている。
【００３７】
このように構成した操作体４０によれば、ボタン部４１が後述の下動端位置（原位置）にあるとき、当該ボタン１１の押打壁部４１ｂは、図１、図９及び図１０に示すように、球収容部材３０ｂの環状上壁部３３の貫通穴部３３ａの内部から上方に臨むように位置する。
【００３８】
一方、ボタン部４１が後述の上動端位置（上動終了位置）にあるとき、当該ボタン１１の押打壁部４１ｂは、図２、図１９及び図２０に示すように、環状上壁部３３の貫通穴部３３ａから上方へ大きく突出して、環状鍔部４１ｃが環状上壁部３３の貫通穴部３３ａの外周部に下方から当接している。
【００３９】
駆動機構５０は、操作体４０を上動駆動或いは下動駆動すると共に、操作体４０を下動端位置（原位置）或いは上動端位置（上動終了位置）に保つものであり、この駆動機構５０は、Ｌ字状補助壁部材３０ｃに組み付けられている。
【００４０】
駆動機構５０は、従動部材５１と、コイルスプリング５２と、カム駆動用モータ５３と、円板５４と、ローラ５５とを備えている。
【００４１】
従動部材５１は、Ｌ字状補助壁部材３０ｃの立壁部３５に平行となるように、操作体４０の円柱部４３の下端部から、補助壁部材３０ｃの上壁部３６に形成した貫通穴部３６ａ及びコイルスプリング５２を順に通り、下方に向け延出されている。
【００４２】
この従動部材５１は、四角柱部５６と、四角板部５７とを備えており、四角柱部５６は、四角板部５７の上縁中央部から上方へ延出されている。当該四角柱部５６は、ボルト５６ａを有しており、このボルト５６ａは、四角柱部５６の上端部から上方へ同軸的に延出されている。ここで、このボルト５６ａは、その上端部にて、円柱部４３の下端部に形成した雌ねじ孔部に螺着されて、当該円柱部４３に同軸的に連結されている。
【００４３】
四角板部５７は、その板厚方向にて、Ｌ字状補助壁部材３０ｃの立壁部３５に直角となるように、四角板状にて、四角柱部５６の下端部と一体的に形成されている。
【００４４】
当該四角板部５７は、図４に示すように、その後面５７ａ（図３にて補助壁部材３０ｃの立壁部３５側の面）に後方へ向けて開口する逆Ｌ字状凹所５７ｂを有しており、この凹所５７ｂは、補助壁部材３０ｃの上壁部３６に平行で左右方向に長く上下方向に狭い幅狭凹部５７ｃと、この幅狭凹部５７ｃの端部の図４にて図示右方向にて下方向に広い幅広凹部５７ｄとを有するように、逆Ｌ字状に形成されている。
【００４５】
幅狭凹部５７ｃは、補助壁部材３０ｃの上壁部３６にそれぞれ平行な上側内面部５７ｅ及び下側内面部５７ｆを有している。ここで、上側内面部５７ｅと下側内面部５７ｆとの間隔は、ローラ５５（後述する）を幅狭凹部５７ｃ内に進入可能とするように、ローラ５５の外径寸法より僅かに大きく設定されている。
【００４６】
一方、幅広凹部５７ｄは、幅狭凹部５７ｃの上側内面部５７ｅから図４にて図示右方へ延びる上側内面部（以下、この上側内面部をも含めて上側内面部５７ｅという）と、幅狭凹部５７ｃの下側内面部５７ｆの右端部から下方向へ垂直に延びる垂直内面部５７ｇと、この垂直内面部５７ｇから補助壁部材３０ｃの上壁部３６に平行となるよう延びる下側内面部５７ｈと、この下側内面部５７ｈの右端部から上方向へ延びる右側内面部５７ｉとを有している。
【００４７】
ここで、幅広凹部５７ｄにおいては、図４にて示すごとく、その上側内面部５７ｅから右側内面部５７ｉにかけて、所定の曲率にて円弧面状に形成されている。なお、上記所定の曲率は、後述のごとく、円板５４の回転或いは回動に伴い変位するローラ５５により描かれる円の軌跡の曲率よりも大きく設定されている。これにより、ローラ５５は、後述のごとく、四角板部５７を、上側内面部５７ｅ及び右側内面部５７ｉにて、押し上げながら転動するようになっている。
【００４８】
また、四角板部５７は、円柱５７ｋを有しており、この円柱５７ｋは、補助壁部材３０ｃの立壁部３５に垂直となるように、幅広凹部５７ｄの奥側内面部５７ｊから突出形成されている。この円柱５７ｋは、後述するごとく、操作体４０が上動初期位置から更なる上動を開始した直後にローラ５５と当接し、ローラ５５から押上力を受けるようになっている。
【００４９】
従動部材５１は、また、図４にて示すごとく、第１の案内ピン５１ｃ及び第２の案内ピン５１ｄを、それぞれ２つずつ、上下に有しており、これら第１の案内ピン５１ｃと、第２の案内ピン５１ｄとは、互いに左右方向に間隔をおいて四角板部５７の後面５７ａから突出されている。なお、以下、２つの第１の案内ピン５１ｃのうち、上側に位置する第１の案内ピン５１ｃを第１の上側案内ピン５１ｃともいい、下側に位置する第１の案内ピン５１ｃを第１の下側案内ピン５１ｃともいう。また、２つの第２の案内ピン５１ｄのうち、上側に位置する第２の案内ピン５１ｄを第２の上側案内ピン５１ｄともいい、下側に位置する第２の案内ピン５１ｄを第２の下側案内ピン５１ｄともいう。
【００５０】
２つの第１の案内ピン５１ｃは、四角板部５７の後面５７ａから上下に間隔をおいて突出されている。そして、各々の第１の案内ピン５１ｃは、補助壁部材３０ｃの立壁部３５に形成された縦長の第１の案内溝３５ａであって、上壁部３６に対して垂直となる方向に長い第１の案内溝３５ａに立壁部３５の前面３５ｂ側から挿通され、立壁部３５の前面３５ａ側及び後面３５ｂ側から第１の案内ピン５１ｃの先端部に対してそれぞれ装着される２つの止め輪５１ｅによって軸方向の移動が規制され、第１の案内溝３５ａ内に、上動及び下動可能な係止状態で保持されている。
【００５１】
一方、２つの第２の案内ピン５１ｄは、２つの第１の案内ピン５１ｃと同様、補助壁部材３０ｃの上壁部３６に対して垂直となる方向に間隔を置いて設けられている。そして、各々の第２の案内ピン５１ｄは、立壁部３５に第１の案内溝３５ａに平行となるよう形成された縦長の第２の案内溝３５ｄに立壁部３５の前面３５ｂ側から挿通され、第２の案内溝３５ｄに挿通された第２の案内ピン５１ｄは、立壁部３５の前面３５ｂ側及び後面３５ｃ側から第２の案内ピン５１ｄの先端部に対してそれぞれ装着される他の２つの止め輪５１ｆによって軸方向の移動が規制され、第２の案内溝３５ｄ内に、上動及び下動可能な係止状態で保持されている。
【００５２】
コイルスプリング５２は、補助壁部材３０ｃの上壁部３６の貫通孔部３６ａを通した従動部材５１の四角柱部５６に上壁部３６の上面３６ｂ側から装着され、上壁部３６の上面３６ｂに載置されている。コイルスプリング５２の外径寸法は操作体４０の円柱部４３の外径寸法以下に設定してあり、このため、コイルスプリング５２は、上壁部３６の上面３６ｂと円柱部４３の下端面４３ｂとの間に挟持されて、弾力により操作体４０を上方に向け付勢するようになっている。
【００５３】
カム駆動用モータ５３は、補助壁部材３０ｃの立壁部３５に形成された貫通穴部３５ｅに当該カム駆動用モータ５３の出力軸５３ａを立壁部３５の後面３５ｃ側から通し、出力軸５３ａの先端が立壁部３５の前面３５ｂから突出した状態で立壁部３５の後面３５ｃに取り付けられる。このカム駆動用モータ５３は、ステップモータにより構成されている。
【００５４】
円板５４は、カム駆動用モータ５３の出力軸５３ａの先端部に貫通穴部５４ａを介して支持されている。ここで、この円板５４は、補助壁部材３０ｃの立壁部３５と従動部材５１の本体５１ａとの間に形成される空間内に配置されている。
【００５５】
また、円板５４は、保持ピン５４ｃを有しており、この保持ピン５４ｃは、円板５４の前面５４ｂの外周部から延出されている。
【００５６】
ローラ５５は、保持ピン５４ｃに回動自在に同軸的に支持されて、従動部材５１の四角板部５７の凹所５７ｂ内に進入している。なお、当該ローラ５５は、２つの止め輪５４ｄによって保持ピン５４ｃに抜け止めされている。
【００５７】
次に、当該ボタン式演出操作装置の電気回路構成である制御回路６０について図８に基づき説明すると、この制御回路６０は、原位置センサＳ１、上動終了位置センサＳ２及び感圧センサＳ３と、マイクロコンピュータ６０ａと、駆動回路６０ｂとを備えている。
【００５８】
原位置センサＳ１及び上動終了位置センサＳ２は、それぞれ、フォトインタラプタからなるもので、原位置センサＳ１の発光部及び受光部は、補助壁部材３０ｃの立壁部３５の第１の案内溝３５ａの下端両側部（又は第２の案内溝３５ｄの下端両側部）に互いに対向して設けられている。これにより、従動部材５１の第１の下側案内ピン５１ｃ（又は第２の下側案内ピン５１ｄ）が立壁部３５の第１の案内溝３５ａの下端部（又は第２の案内溝３５ｄの下端部）に到達したとき、当該原位置センサＳ１は、その発光部からの光に対する受光部の受光を第１の下側案内ピン５１ｃ（又は第２の下側案内ピン５１ｄ）により遮断することにより、従動部材５１の下動端位置（原位置）への到達を検出する。このことは、操作体４０の原位置への到達が検出されることを意味する。
【００５９】
また、上動終了位置センサＳ２の発光部及び受光部は、立壁部３５の第１の案内溝３５ａの上端部（又は第２の案内溝３５ｄの上端部）に互いに対向して設けられている。これにより、従動部材５１の第１の上側案内ピン５１ｃ（又は第２の上側案内ピン５１ｄ）が立壁部３５の第１の案内溝３５ａの上端部（又は第２の案内溝３５ｄの上端部）に到達したとき、当該上動終了位置センサＳ２は、その発光部からの光に対する受光部の受光を第１の上側案内ピン５１ｃ（又は第２の上側案内ピン５１ｄ）により遮断することにより、従動部材５１の上動端位置（上動終了位置）への到達を検出する。このことは、操作体４０の上動終了位置への到達が検出されることを意味する。
【００６０】
感圧センサＳ３は、操作体４０の円柱部４３の突起部４３ｃ上に設けられている。ここで、突起部４３ｃは、ボタン部４１の環状鍔部４１ｃに対向するように、円柱部４３の下端部からその径方向へ外方に向け突出している。
【００６１】
これにより、この感圧センサＳ３は、ボタン部４１の押打操作による下動に伴い環状鍔部４１ｃにより押圧されて、ボタン部４１に対する押打操作を検出する。
【００６２】
マイクロコンピュータ６０ａは、コンピュータプログラムを実行し、この実行中において、原位置センサＳ１或いは上動終了位置センサＳ２の検出出力に基づき駆動回路６０ｂを介しカム駆動用モータ５３を駆動制御するに要する処理を行うとともに、感圧センサＳ３の検出出力に基づき、遊技者にとり有利な演出をするに要する処理を行う。
【００６３】
以上のように構成した本実施形態において、遊技者が当該パチンコ遊技機にて遊技を行っているものとする。現時点において、演出操作装置Ｇでは、駆動機構５０の従動部材５１が、図１、図５〜図７、図９及び図１０のいずれかにて示すように、原位置に維持された状態にあるものとする。従って、この状態においては、操作体４０のボタン部４１は、球受け皿３０の環状上壁部３３の貫通穴部３３ａから上方を臨む位置にある（図１参照）。
【００６４】
また、上述のように従動部材５１が原位置に維持された状態にあるとき、ローラ５５は、図９及び図１０にて示すように、モータ５３の出力軸５３ａの直下に位置し、従動部５１の四角板部５７における幅狭凹部５７ｃの下側内面部５７ｆにその図示左端部に当接した状態に維持されている。これに伴い、コイルスプリング５２は、操作体４０の円柱部４３の下端面４３ｂと補助壁部材３０ｃの上壁部３６の上面３６ｂとの間に圧縮されている。
【００６５】
このような状態において、当該パチンコ遊技機の副制御装置から単打指令又は連打指令が出力されると、マイクロコンピュータ６０ａは、上記コンピュータプログラムの実行を開始し、カム駆動用モータ５３を回転させる処理を行う。このカム駆動用モータ回転処理では、カム駆動用モータ５３を一回転方向へ回転させるための信号を駆動回路６０ｃに出力する。このため、カム駆動用モータ５３は、駆動回路６０ｂにより駆動されて一回転方向へ回転する。
【００６６】
このようにカム駆動用モータ５３が回転すると、円板５４は、カム駆動用モータ５３の出力軸５３ａを介して図９及び図１０にて図示時計方向へ回転し、ローラ５５は、幅狭凹部５７ｃの下側内面部５７ｆの左端部から離れる。これに伴い、従動部材５１は上動可能な自由状態となる。このため、コイルスプリング５２がその弾力により操作体４０の円柱部４３を上方に向け付勢する。従って、従動部材５１が、操作体４０とともに、瞬時に上動初期位置に向けて上動する。
【００６７】
このような従動部材５１及び操作体４０の上動に伴い、従動部材５１の幅広凹部５７ｄの垂直内面部５７ｇがローラ５５の右側にて上動し、幅広凹部５７ｄの下側内面部５７ｈがローラ５５に当接したとき、操作体４０の上動は一時的に停止する。なお、上述のように従動部材５１及び操作体４０が瞬時に上動することから、当該従動部材５１及び操作体４０の上動開始から上動一時停止までの時間は極めて短い。
【００６８】
図１１及び図１２は、ローラ５５と幅広凹部５７ｄの下側内面部５７ｈとの当接状態を示している。このとき、コイルスプリング５２は伸長しており、また、ボタン部４１は、その上部にて、球受け皿３０の環状上壁部３３の貫通穴部３３ａから上方へ突出して、上動初期位置に位置する。
【００６９】
なお、操作体４０が原位置から上動初期位置まで上動する間の初期段階にて、従動部材５１は、第１の各案内ピン５１ｃ及び第２の各案内ピン５１ｄによりそれぞれ補助壁部材３０ｃの立壁部３５の第１の案内溝３５ａ及び第２の案内溝３５ｄに沿い案内されて上動するので、従動部材５１は、前後左右方向へガタツクことなく安定して上動することができる。
【００７０】
上述のように操作体４０の上動の一時停止は極めて瞬間的であることから、ローラ５５は、上記一時停止の直後における円板５４の回転により、図１３にて示すように、四角板部５７の円柱５７ｋにその下側から当接して摺接しながら、この円柱５７ｋを押し上げる。このため、従動部材５１は、操作体４０とともに、上動初期位置からさらに上動する。しかして、ローラ５５は、図１４〜図１７にて順に示すような円柱５７ｋとの摺接状態を経た後、図１８及び図１９にて順に示すように、円柱５７ｋから離れて、幅広凹部５７ｄの右側内面部５７ｉから上側内面部５７ｅにかけて摺接していく。
【００７１】
このようにして、ローラ５５は、幅広凹部５７ｄの右側内面部５７ｉから上側内面部５７ｅにかけて転動しつつ、幅広凹部５７ｄを介し従動部材５１を押し上げていく。このため、従動部材５１は、操作体４０とともに、図１８〜図２０にて示すごとく、上動端位置（上動終了位置）まで上動する。
【００７２】
なお、このように従動部材５１が上動初期位置から上動端位置まで上動する後段階にて、当該従動部材５１は、第１の各案内ピン５１ｃ及び第２の各案内ピン５１ｄにより第１の案内溝３５ａ及び第２の案内溝３５ｄに沿い案内されるので、従動部材５１は、ガタツくことなく、安定して上動することができる。
【００７３】
このようにして従動部材５１が操作体４０とともに上動端位置まで上動したとき、従動部材５１の第１の上側案内ピン５１ｃ（又は第２の上側案内ピン５１ｄ）が、立壁部３５の第１の案内溝３５ａの上端部（又は第２の案内溝３５ｄの上端部）に達しているため、上動終了位置センサＳ２が検出信号を出力し、マイクロコンピュータ６０ａは、この検出出力に基づきカム駆動用モータ５３の回転を停止させるための信号を駆動回路６０ｂに出力する。これにより、カム駆動用モータ５３は回転を停止する。
【００７４】
カム駆動用モータ５３が回転を停止したとき、ローラ５５は、図１９及び図２０にて示すように、カム駆動用モータ５３の出力軸５３ａの直上に位置するとともに、四角板部５７の凹所５７ｂの幅狭凹部５７ｃと幅広凹部５７ｄとの境界部位に位置している。また、操作体４０のボタン部４１は、その環状鍔部４１ｃにて、環状上壁部３３の貫通穴部３３ａの外周部に下方から当接することで、環状上壁部３３の貫通穴部３３ａから上方へ大きく突出して上動端位置に位置する。
【００７５】
操作体４０が上動端位置にあるとき、遊技者がボタン部４１を押打すると、ボタン部４１が、コイルスプリング４２の弾力に抗して下動し、環状鍔部４１ｃにて、感圧センサＳ３を押圧する。このため、感圧センサＳ３がこの押圧に基づき検出信号をマイクロコンピュータ６０ａに出力する。これに伴い、マイクロコンピュータ６０ａは、当該検出信号に基づき、副制御装置に遊技者にとり有利な演出を行わせるように所定の処理を実行する。
【００７６】
その後、副制御装置から単打終了指令又は連打終了指令が出力されると、マイクロコンピュータ６０ａは、カム駆動用モータ５３を回転させる処理を行う。このカム駆動用モータ回転処理では、カム駆動用モータ５３を一回転方向（上述した単打指令又は連打指令が出力されたときの回転方向と同一方向）へ回転させるための信号を駆動回路６０ｃに出力する。このため、カム駆動用モータ５３は、駆動回路６０ｂにより駆動されて一回転方向へ回転する。
【００７７】
このようにカム駆動用モータ５３が回転すると、円板５４は、カム駆動用モータ５３の出力軸５３ａを介して図１９及び図２０にて図示時計方向へ回転し、ローラ５５は、従動部材５１における四角板部５７の幅狭凹部５７ｃの下側内面部５７ｆに沿い転動しつつ、四角板部５７を介し従動部材１５を押し下げるようになる。これに伴い、従動部材５１は下動し、操作体４０は、図２１にて示すように、円柱部４３の下端面４３ｂにて、伸長状態にあるコイルスプリング５２に接触する位置まで下動する。
【００７８】
しかして、操作体４０の円柱部４３がその下端面４３ｂにてコイルスプリング５２に接触すると、操作体４０の円柱部４３は、従動部材５１とともに、コイルスプリング５２の弾力により上方に向けて付勢される。このため、従動部材５１は、コイルスプリング５２の弾力に抗してさらに下動し、操作体４０が、その円柱部４３によりコイルスプリング５２を圧縮していく。
【００７９】
然る後、ローラ５５が、モータ５３の出力軸５３ａの直下に位置するようになったとき、コイルスプリング５２は完全な圧縮状態となり、また、従動部材５１は原位置に位置するようになり、操作体４０は、そのボタン部４１にて、球受け皿３０の環状上壁部３３の貫通穴部３３ａから上方を臨むように位置する。なお、ローラ５５がカム駆動用モータ５３の出力軸５３ａの直下に位置するとき、ローラ５５は従動部材５１における四角板部５７の幅狭凹部５７ｃの下側内面部５７ｆにその左端部（図９参照）にて当接する。
【００８０】
従動部材５１が原位置まで下動したとき、当該従動部材５１の第１の下側案内ピン５１ｃ（又は第２の下側案内ピン５１ｄ）は立壁部３５の第１の案内溝３５ａの下端部（又は第２の案内溝３５ｄの下端部）に達している。このため、原位置センサＳ１が検出信号をマイクロコンピュータ６０ａに出力し、マイクロコンピュータ６０ａは、当該検出信号に基づき、カム駆動用モータ５３の回転を停止させるための信号を駆動回路６０ｂに出力する。これにより、カム駆動用モータ５３は回転を停止し、従動部材５１は、操作体４０とともに、、図９及び図１０にて示すように原位置に戻る。
【００８１】
以上説明したように、本実施形態によれば、ボタン式演出操作装置Ｇは、遊技機の球受け皿３０の環状上壁部３３に設けられた貫通穴部３３ａの内部から上方を臨む原位置に位置する操作体４０と、球受け皿３０の内部に組み付けられて原位置にある操作体４０を貫通穴部３３ａから上方へ上動終了位置まで突出させるとともに、この上動終了位置にある操作体４０を原位置まで下動させる駆動機構５０とを備える。
【００８２】
また、上述のように、球受け皿３０の内部に配置されるL字状補助壁部材３０ｃに組み付けられた駆動機構５０は、円板５４と、この円板５４を一回転方向へ回転させるカム駆動用モータ５３と、円板５４に回転自在に支持されるローラ５５と、操作体４０の円柱部から下方へ延出されてローラ５５により押し上げ或いは押し下げられる従動部材５１と、この従動部材５１に外方から嵌装されて操作体４０の円柱部４３と遊技機の上壁部３６との間に介装されるコイルスプリング５２とを備える。
【００８３】
そして、従動部材５１が操作体４０とともに原位置にあるとき、ローラ５５は、上述のごとく、従動部材５１を押し下げる状態に維持してコイルスプリング５２を圧縮状態に維持している。
【００８４】
このように従動部材５１が操作体４０とともに原位置にあるときに、円板５４がカム駆動用モータ５３により一回転方向へ回転されると、ローラ５５が従動部材５１を上動可能な自由状態に解放し、コイルスプリング５２が圧縮状態から解放され、従動部材５１が、操作体４０とともに上動初期位置まで瞬時に上動し、ついで、ローラ５５により押し上げられて、操作体４０とともに上動終了位置まで上動する。
【００８５】
換言すれば、従動部材５１を操作部４０とともに原位置から上動終了位置へ上動させる際、まず、ローラ５５が従動部材５１を上動可能な自由状態に解放し、圧縮状態にあったコイルスプリング５２が、解放されてその弾力に基づき瞬時に伸長して、従動部材５１を操作体４０とともに瞬時に原位置から上動初期位置へ上動し、然る後、従動部材５１は、ローラ５５により押し上げられて操作体４０とともに上動初期位置から上動終了位置まで上動する。このため、操作体４０は、そのボタン部４１にて、２段階にて大きく突出させるようになる。その結果、操作体４０におけるボタン部４１の突出を遊技者に対して強く認識させることができる。
【００８６】
また、操作体４０が上動終了位置にあるときに円板５４がカム駆動用モータ５３により一回転方向へ回転されると、従動部材５１がローラ５５により上述のごとく押し下げられ、操作体４０が上動初期位置に対応する位置まで下動する。然る後、従動部材５１は、コイルスプリング５２の弾力に抗してローラ５５により押し下げられて下動し、操作体４０は原位置まで下動するため、操作体４０を上動終了位置から原位置へ下動させる過程でコイルスプリング５２を圧縮状態にすることができる。従って、コイルスプリング５２を別途の手段によって圧縮状態にする必要がなく、構成の簡素化を図ることができる。
【００８７】
なお、本発明の実施にあたり、上記実施形態にて述べたローラ５５は、摺接部材であってもよい。
【００８８】
また、本発明の実施にあたり、四角板部５７の凹所５７ｂは、逆Ｌ字状ではなく、Ｌ字状凹所であってもよい。この場合、このＬ字状凹所においては、幅広凹部５７ｄが、例えば、幅狭凹部５７ｃの端部にて上方向に広くなるように形成される。
【符号の説明】
【００８９】
３３…環状上壁部、４０…操作体、４１…ボタン部、４３…円柱部、５０…駆動機構、
５１…従動部材、５２…コイルスプリング、５３…カム駆動用モータ、５４…円板、
５５…ローラ、５７…四角板部、５７ｂ…凹所、５７ｃ…幅狭凹部、５７ｄ…幅広凹部。
【図１】
0005437885.tif 000002
【図２】
0005437885.tif 000003
【図３】
0005437885.tif 000004
【図４】
0005437885.tif 000005
【図５】
0005437885.tif 000006
【図６】
0005437885.tif 000007
【図７】
0005437885.tif 000008
【図８】
0005437885.tif 000009
【図９】
0005437885.tif 000010
【図１０】
0005437885.tif 000011
【図１１】
0005437885.tif 000012
【図１２】
0005437885.tif 000013
【図１３】
0005437885.tif 000014
【図１４】
0005437885.tif 000015
【図１５】
0005437885.tif 000016
【図１６】
0005437885.tif 000017
【図１７】
0005437885.tif 000018
【図１８】
0005437885.tif 000019
【図１９】
0005437885.tif 000020
【図２０】
0005437885.tif 000021
【図２１】
0005437885.tif 000022